(57)【要約】【課題】大きさが異なる複数の遊技機島を製造する場合において、低コストで遊技機島を製造可能な技術を提供する。【解決手段】遊技媒体を用いた遊技が可能な１又は複数の遊技機と、遊技媒体を搬送するための流路を形成する流路形成部材を備えた遊技機島に対し、流路形成部材を支持するための流路支持部材４０を設ける。この流路形成部材４０は、第１支持部材４１と第２支持部材４２から形成され、これらの少なくとも一部が互いに重なった状態で長尺状に連結可能な構造とする。そして、第１支持部材と前記第２支持部材の重なり部分の長さＬａを変化させることにより、全体長さＬｂを調整可能とする。【選択図】図８
2017006237.tif 000002
【特許請求の範囲】
【請求項１】
遊技媒体を用いた遊技が可能な１又は複数の遊技機と、前記遊技媒体を搬送するための流路を形成する流路形成部材を備えた遊技機島において、離間する二面の間に架け渡されて前記流路形成部材を支持する流路支持部材であって、
少なくとも一部が互いに重なった状態で長尺状に連結する第１支持部材と第２支持部材とを有し、
前記第１支持部材と前記第２支持部材の重なり部分の長さを変化させることにより、全体長さを調整可能であることを特徴とする流路支持部材。
【請求項２】
前記第１支持部材は、前記二面のうちの一方に対して一端を固定するものであり、前記第２支持部材は前記二面のうちの他方に対して一端を固定するものであって、
前記第１支持部材又は前記第２支持部材の少なくとも一方は、上下方向で離間する上板部及び下板部と、前記上板部及び前記下板部の間に位置してこれらを連結する立板部を備えた長尺状の片側本体部を有するものであり、
前記片側本体部には、前記上板部、前記下板部及び前記立板部によって３方が囲まれた空間である挿入用空間が形成されるものであって、
前記第１支持部材又は前記第２支持部材の他方は、長尺状に延びる他方側本体部を有しており、
前記他方側本体部の一部を前記挿入用空間に挿入可能であり、挿入長さを可変させることで前記重なり部分の長さが変化することを特徴とする請求項１に記載の流路支持部材。
【請求項３】
前記片側本体部は、長手方向の片側に前記他方側本体部を前記挿入用空間に挿入するための開口部分が形成され、長手方向の他方側が閉塞されており、
前記上板部と前記下板部は、前記立板部の上下端からそれぞれ同方向に突出しており、前記上板部の突出端部と前記下板部の突出端部の間には前記挿入用空間と外部を連通する開放面が形成されており、
前記上板部の突出端部と前記下板部の突出端部の少なくとも一方には、他方側に向かって突出する規制片が形成され、
前記規制片によって、前記他方側本体部の前記開放面からの脱落を防止可能であることを特徴とする請求項２に記載の流路支持部材。
【請求項４】
前記第１支持部材と前記第２支持部材の一方は、前記遊技機島と隣接する壁面に一端を固定するものであり、前記第１支持部材と前記第２支持部材の他方は、前記遊技機島の壁面を形成する板部材に一端を固定するものであることを特徴とする請求項1乃至３のいずれかに記載の流路支持部材。
【請求項５】
請求項１乃至４のいずれかに記載の流路支持部材を具備しており、前記流路支持部材によって前記流路形成部材が支持されていることを特徴とする遊技機島。
【発明の詳細な説明】
【技術分野】
【０００１】
本発明は、ぱちんこ機やスロット機といった遊技機を設置するための遊技機島を構築する際に使用される流路支持部材に関するものである。また、そのような流路用支持部材を採用して形成される遊技機島に関するものである。
【背景技術】
【０００２】
ぱちんこ機やスロット機等の遊技機が設置されている遊技場では、一般的に、複数の遊技機が列状に並設されて形成される遊技機島が設けられている。
【０００３】
このような遊技機島として、例えば、特許文献１に開示されたものがある。
特許文献１に開示された遊技機島は、骨格を成す複数のフレーム部材に対して複数の板部材を貼り付けて形成されており、箱型に形成されている。そして、遊技機島の短手方向における一端側において複数の遊技機を並列配置させると共に、短手方向における他端側においても複数の遊技機が並列配置させている。つまり、この遊技機島では、遊技機が背中合わせに配置されており、短手方向における一端側から一方の遊技機の正面部分が露出し、短手方向における他端側から他方の遊技機の正面部分が露出している。このとき、それぞれの遊技機の背面側の部分は、遊技機島の内部に収容された状態となっている。
【０００４】
ここで、遊技機島の内部では、遊技球を搬送するための搬送流路を形成する場合がある。例えば、特許文献２には、遊技機の上方に搬送流路となる補給樋を形成した遊技機島（遊技機設置島）が開示されている。
この場合、補給樋は、一般的に、遊技機島の内部に形成された支持部材によって地面から離れた位置に支持された状態となっている。より詳細には、遊技機島の短手方向における一端側に位置する板部材と、短手方向における他端側に位置する板部材の間に長尺状の支持部材を架設し、この支持部材の上に搬送流路を固定した状態となっている。
【先行技術文献】
【特許文献】
【０００５】
【特許文献１】特開２００８−２８９５３２号公報
【特許文献２】特開２０１４−１６６３７３号公報
【発明の概要】
【発明が解決しようとする課題】
【０００６】
ところで、遊技場では、経営効率の向上のため、限られた空間に数多くの遊技機を設置したいという要求がある。このことから、壁付近の狭いスペースに遊技機島を設置する場合がある。すなわち、短手方向の一方の面を壁に密着させ、短手方向における他方の面からのみ遊技機の正面部分を露出させる遊技機島を形成することで、遊技機島を小型化し、壁付近の狭いスペースに配置することがある。
【０００７】
ここで、壁付近に遊技機島を設置するために確保できるスペースは遊技場ごとに異なっており、それに伴って遊技機島の大きさを適宜変更する必要がある。言い換えると、遊技機島の骨格を成すフレーム部材の大きさや長さ、及びその配置間隔等を適宜変更し、それに対して取り付ける板部材や支持部材の大きさや長さを適宜変更する必要がある。しかしながら、遊技機島毎に異なる大きさ（長さ）の部材を製造することは、コストがかかるため好ましくない。
【０００８】
そこで、本発明では、製造する複数の遊技機島間で大きさが異なる場合であっても、低コストで遊技機島を製造可能な技術を提供することを課題とする。
【課題を解決するための手段】
【０００９】
上記課題を解決するための請求項１に記載の発明は、遊技媒体を用いた遊技が可能な１又は複数の遊技機と、前記遊技媒体を搬送するための流路を形成する流路形成部材を備えた遊技機島において、離間する二面の間に架け渡されて前記流路形成部材を支持する流路支持部材であって、少なくとも一部が互いに重なった状態で長尺状に連結する第１支持部材と第２支持部材とを有し、前記第１支持部材と前記第２支持部材の重なり部分の長さを変化させることにより、全体長さを調整可能であることを特徴とする流路支持部材である。
【００１０】
本発明の流路支持部材は、少なくとも一部が互いに重なった状態で長尺状に連結する第１支持部材と第２支持部材を有しており、これらの重なり部分の長さを可変させることで、全体長さを伸縮自在に可変させることができる。このことから、遊技機島の大きさに合わせて流路支持部材の長さを変更できるので、大きさの異なる遊技機島毎に流路支持部材を製造する必要がない。つまり、遊技機島の大きさによらず同じ流路支持部材を大量生産できるので、製造コストの低減を図ることができる。
【００１１】
請求項２に記載の発明は、前記第１支持部材は、前記二面のうちの一方に対して一端を固定するものであり、前記第２支持部材は前記二面のうちの他方に対して一端を固定するものであって、前記第１支持部材又は前記第２支持部材の少なくとも一方は、上下方向で離間する上板部及び下板部と、前記上板部及び前記下板部の間に位置してこれらを連結する立板部を備えた長尺状の片側本体部を有するものであり、前記片側本体部には、前記上板部、前記下板部及び前記立板部によって３方が囲まれた空間である挿入用空間が形成されるものであって、前記第１支持部材又は前記第２支持部材の他方は、長尺状に延びる他方側本体部を有しており、前記他方側本体部の一部を前記挿入用空間に挿入可能であり、挿入長さを可変させることで前記重なり部分の長さが変化することを特徴とする請求項１に記載の流路支持部材である。
【００１２】
請求項３に記載発明は、前記片側本体部は、長手方向の片側に前記他方側本体部を前記挿入用空間に挿入するための開口部分が形成され、長手方向の他方側が閉塞されており、前記上板部と前記下板部は、前記立板部の上下端からそれぞれ同方向に突出しており、前記上板部の突出端部と前記下板部の突出端部の間には前記挿入用空間と外部を連通する開放面が形成されており、前記上板部の突出端部と前記下板部の突出端部の少なくとも一方には、他方側に向かって突出する規制片が形成され、前記規制片によって、前記他方側本体部の前記開放面からの脱落を防止可能であることを特徴とする請求項２に記載の流路支持部材である。
【００１３】
これらの構成によると、流路支持部材の主要部分を折り曲げ加工等の比較的簡単な加工により製造できるので、製造コストの低減を図ることができる。
【００１４】
請求項４に記載の発明は、前記第１支持部材と前記第２支持部材の一方は、前記遊技機島と隣接する壁面に一端を固定するものであり、前記第１支持部材と前記第２支持部材の他方は、前記遊技機島の壁面を形成する板部材に一端を固定するものであることを特徴とする請求項1乃至３のいずれかに記載の流路支持部材である。
【００１５】
本発明の流路支持部材は、遊技場の壁面に隣接するように形成される遊技機島において、特に好適に採用できる。
【００１６】
請求項５に記載の発明は、請求項１乃至４のいずれかに記載の流路支持部材を具備しており、前記流路支持部材によって前記流路形成部材が支持されていることを特徴とする遊技機島である。
【００１７】
本発明の遊技機島もまた、上記した流路支持部材を具備していることから、大量に生産する場合に製造コストの低減を図ることができる。
【発明の効果】
【００１８】
本発明によると、遊技機島を大量生産する場合に製造コストの低減を図ることができる。
【図面の簡単な説明】
【００１９】
【図１】本発明の実施形態にかかる遊技機島が設置された遊技場を示す説明図である
【図２】図１の遊技場壁面と隣接するように形成された遊技機島を示す斜視図である。
【図３】図２の遊技機島の内部構造を示す説明図である。
【図４】図２の遊技機島の内部構造を示す断面図である。
【図５】図４の流路支持部材を示す分解斜視図である。
【図６】図５の壁側固定部材を示す図であり、（ａ）は前方からみた斜視図であり、（ｂ）は後方からみた斜視図である。
【図７】図５の板側固定部材を示す図であり、（ａ）は前方からみた斜視図であり、（ｂ）は後方からみた斜視図であり、（ｃ）は背面図である。
【図８】図４の流路支持部材の全長を可変させる様子を示す説明図であり、（ａ）〜（ｃ）の順で全長が長くなっていくように、流路支持部材をそれぞれ異なる長さとした状態を示す。
【図９】図２で示される遊技機島を構築する手順を示す説明図であり、遊技場床面に支柱部材を立設した様子を示す。
【図１０】図９に続いて遊技機島を構築する手順を示す説明図であり、支柱部材に各種板部材を取り付けた様子を示す。
【図１１】図１０で示される構築途中の遊技機島を示す断面図である。
【図１２】図５とは異なる形態の流路支持部材を示す説明図であり、（ａ）は正面図、（ｂ）は分解斜視図である。
【発明を実施するための形態】
【００２０】
以下に、本発明の実施形態に係る遊技機島１について詳細に説明するが、本発明はこれらの例に限定されるものではない。また、以下の説明において、上下左右の位置関係については特に断りのない限り通常の設置状態を基準として説明する。
【００２１】
遊技場内では、図１で示されるように、遊技場内の壁面に片側を密着させた状態で形成される遊技機島１ａと、遊技場の壁面から離間した位置に形成される遊技機島１ｂとがそれぞれ設けられており、いずれの遊技機島１も略直方体状の箱型構造物となっている。
【００２２】
そして、それぞれの遊技機島１では、短手方向の側面に複数の遊技機２が並列配置された状態となっている。より詳細に説明すると、遊技場内の壁面に片側を密着させた遊技機島１ａでは、短手方向における片側側面に複数の遊技機２が列設されている。対して、遊技場内の壁面から離間した位置に形成される遊技機島１ｂでは、短手方向における両側それぞれの側面に複数の遊技機２が列設された状態となっている。
【００２３】
遊技機島１ａは、図２で示されるように、支柱や梁となる骨格部材（後述する支柱部材１００等、図２では図示しない）に対して、少なくとも天板７、妻板８、幕板９、ランプ板１０、膳板１１、腰板１２、幅木１３を含む板部材を取り付けて形成されている。すなわち、遊技機島１ａは、骨格部材に対して外表面を形成する板部材を取り付ける事で形成される構造物である。
【００２４】
このとき、遊技機島１ａの長寸の側面には、遊技機２や遊技媒体貸出機１５を配するための遊技機取付部１７が設けられている。この遊技機取付部１７は、遊技機島１ａの高さ方向の略中央となる位置に形成される空間であり、遊技機島１ａの内外を連通している。この遊技機取付部１７には、遊技機２と遊技媒体貸出機１５からなる組を遊技機島１ａの長手方向に沿うように並列配置している。つまり、遊技機２と、これに対として設けられる遊技媒体貸出機１５を１組の機器群とすると、この機器群が遊技機島１ａの長手方向で並列するように取付けられている。
なお、図１、２における遊技機２、遊技機取付部１７、遊技媒体貸出機１５、データランプ２１（詳しくは後述する）の符号は、一部にのみ符号を付し、他への符号を省略している。
【００２５】
天板７は、遊技機島１ａの天井壁を形成する部材である。
【００２６】
妻板８は、遊技機島１ａの側壁のうち、遊技機島１ａの長手方向の両端部にそれぞれ位置する短寸の側壁（以下、短側壁とも称す）を形成する部材である。このため、妻板８は、その厚さ方向が遊技機島１ａの長手方向と同一となっている。
【００２７】
幕板９は、遊技機島１ａの側壁のうち、遊技機島１ａの短手方向の端部に位置する長寸の側壁（以下、長側壁とも称す）の一部を形成する部材である。この幕板９は、天板７付近に位置しており、遊技機取付部１７の上側部分に位置している。すなわち、幕板９は、遊技機取付部１７が設けられる長側壁の上端近傍を形成する部材である。
【００２８】
ランプ板１０は、上端からやや下方側に離れた部分であり、幕板９の下方に位置する部分を覆う略長方形平板状の部材であり、遊技機島１ａの長側壁の一部を形成している。
このランプ板１０には、データランプ２１を取り付けるためのランプ取付部２２が設けられている。このランプ取付部２２は、複数設けられており、ランプ板１０の長手方向に沿って間隔を空けて並列した状態となっている。
【００２９】
データランプ２１は、一般的に「コールランプ」や「呼出ランプ」等とも称される装置であり、下方に位置する遊技機２に対応付けられている。そして、対応付けられた遊技機２での遊技結果に関する情報を表示可能となっている。
また、このデータランプ２１には、遊技客が遊技場従業員を呼び出す際に押下する呼び出しボタンが一体に形成されている。そして、呼び出しボタンが押下されると、データランプ２１のランプ部（図示しない）が点灯、点滅を実施すると共に、妻板８に取り付けられたランプ装置（図示しない）が点灯、点滅する構造となっている。
【００３０】
膳板１１は、平面視した形状が略四角形状となる平板状の部材であり、遊技機取付部１７の下方部分から外側へ張り出した状態となっている。より詳細には、膳板１１は、遊技客の着座側（図１、図２において椅子のある側）へ突出しつつ、遊技機島１の長手方向に沿って延設されるものであり、遊技機島１の長手方向の一端部から他端部まで延びている。この膳板１１は、大別して遊技機島１の内部側に位置する部分と、遊技機島１の外部に露出した部分とに区分されるものである。そして、内部側に位置する部分は、遊技機２を載置するための土台として機能し、外部側に位置する部分は、遊技球（遊技媒体）を収容する収容箱（図示せず）等を載置するための載置棚として機能する。
【００３１】
腰板１２は、遊技機２の設置位置よりも低い部分を覆う部材であり、遊技機島１ａの長側壁の一部を形成している。より詳細には、この腰板１２は、膳板１１よりも下方に配置され、遊技機島１ａの長側壁における下方側部分の大半部分を形成している。
【００３２】
幅木１３は、腰板１２より低い位置の側壁を形成する長尺板状の部材である。すなわち、この幅木１３は、遊技機島１ａの長側壁における下端近傍を覆う長尺板状の部材である。この幅木１３は、壁材を保護するための部材であり、遊技機島１ａの床に接する部分に設けることで、壁材に遊技客の靴等が直接接触し難い構造としている。このことにより、靴先等の接触に起因する壁材の破損を防止している。
【００３３】
続いて、遊技機島１ａの内部構造について説明する。
【００３４】
遊技機島１ａには、図３で示されるように、島上タンク２５、補給レール２６（流路形成部材）、オーバーフローレール２７、球抜きホース２８、オーバーフローホース２９、島下タンク３０、アウトレール３１、研磨装置３２、揚送装置３３がそれぞれ設けられている。
【００３５】
このうち、島上タンク２５と島下タンク３０は、遊技機島１ａの内部で循環する遊技球を一時的に貯留可能となっている。また、補給レール２６、オーバーフローレール２７、球抜きホース２８、オーバーフローホース２９、アウトレール３１はそれぞれ所定の方向へ向かって遊技球を搬送するための流路を形成する部材（流路形成部材）である。
【００３６】
そして、遊技機島１ａがこれらの構成を備えることにより、遊技機２への遊技球の供給と、遊技機２からの遊技球の回収が可能となっている。
すなわち、島上タンク２５に一時的に貯留された遊技球は、補給レール２６を介してそれぞれの遊技機２や遊技媒体貸出機１５へ供給することが可能となっている。また、遊技機２から排出された遊技球は、アウトレール３１を介して研磨装置３２に導入することが可能となっている。そして、研磨装置３２で研磨された遊技球は、揚送装置３３によって上側へ搬送され、島上タンク２５へと導入されることとなる。すなわち、遊技機島１の内部には、遊技機２を経て遊技球が循環するための循環経路が形成されている。
【００３７】
その一方、島上タンク２５の貯留量が一定以上となった場合、過剰分の遊技球がオーバーフローレール２７、オーバーフローホース２９を介して島下タンク３０の内部に導入される構造となっている。また、遊技機２から排出された遊技球もまた、必要に応じて島下タンク３０の内部に導入される構造となっている。
【００３８】
ここで、遊技機島１ａの内部に形成された補給レール２６に注目すると、図４で示されるように、流路支持部材４０によって床から離れた位置に支持された状態となっている。
【００３９】
本実施形態の特徴的な部分であるところの流路支持部材４０につき、詳細に説明する。
【００４０】
流路支持部材４０は、図５で示されるように、一端を遊技場壁面に対して一体に固定する壁側固定部材４１（第１支持部材）と、一端を板部材の内側面に対して一体に固定する板側固定部材４２（第２支持部材）を備えており、これらを一体に結合することで形成される部材である。なお、ここでいう「板部材」は、遊技機島１ａを構築する際に骨格部材に取り付けられる板部材であり、本実施形態では幕板９である。
なお、以下の説明では、説明の都合上、図５の手前側を前方、奥側を後方として説明する。
【００４１】
壁側固定部材４１は、図６で示されるように、長尺状に延びる本体部５０（片側本体部）と、本体部５０の長手方向における片側端部と一体に連結する取付板部５１とを備えた構造となっている。言い換えると、本体部５０は、取付板部５１の片側側面（内側面）から外側に向かって突出した状態となっている。
【００４２】
本体部５０は、長方形平板状の下板部５３と、下板部５３の短手方向における片側端部を上方に折り曲げて形成される立板部５４と、立板部５４の上端を後方に折り曲げて形成される上板部５５とを有し、これらが一体になって形成されている。
【００４３】
下板部５３は、長方形平板状の部分であり、その短手方向における片側端部（前方側の端部）が立板部５４の下端部分と連続した状態となっている。対して、短手方向における他方側端部には、図６（ｂ）で示されるように、下側掛止片部５６（規制片）が形成されている。
【００４４】
下側掛止片部５６は、下板部５３の短手方向における端部の一部分から上方に突出する立板状の部分である。
より詳細には、下板部５３の短手方向における端部の一部であり、下板部５３の長手方向の両端それぞれから離れた部分と連続した状態となっている。ここで、下板部５３の長手方向（本体部５０の突出方向）における下側掛止片部５６の長さは、下板部５３の長さよりも短くなっている。そして、下側掛止片部５６の長手方向における中心部分と、下板部５３の短手方向端部に位置する一辺の中心部分は、本体部５０の突出方向において略同一の位置となっている。つまり、下側掛止片部５６は、下板部５３の短手方向端部に位置する一辺のうち、長手方向における中心近傍となる部分から上方に突出した状態となっている。
【００４５】
また、下側掛止片部５６は、その上下方向の長さが立板部５４の上下方向の長さよりも短くなっており、より具体的には、立板部５４の上下方向の長さの半分以下の長さとなっている。
【００４６】
立板部５４は、正面視した形状が略横長長方形状となる立板状の部分であり、図６（ａ）で示されるように、高さ方向における略中心となる部分に、長孔５７が形成されている。この長孔５７は、立板部５４を厚さ方向に貫通し、本体部５０の突出方向（長手方向）に沿って延びる孔となっている。
【００４７】
上板部５５もまた、長方形平板状の部分であり、その短手方向における片側端部（前端部）が立板部５４の上端部分と連続した状態となっている。また、この上板部５５の短手方向における他方側端部には、図６（ｂ）で示されるように、上側掛止片部５８（規制片）が形成されている。
【００４８】
上側掛止片部５８は、上板部５５の短手方向における端部の一部分から下方に突出する立板状の部分である。
より詳細には、上板部５５の短手方向における端部の一部であり、上板部５５の長手方向の両端それぞれから離れた部分と連続した状態となっている。すなわち、上板部５５の長手方向（本体部５０の突出方向）における上側掛止片部５８の長さは、上板部５５の長さよりも短くなっている。そして、上側掛止片部５８の長手方向における中心部分と、上板部５５の短手方向端部に位置する一辺の中心部分は、本体部５０の突出方向において略同一の位置となっている。つまり、上側掛止片部５８は、上板部５５の短手方向端部に位置する一辺のうち、長手方向における中心近傍となる部分から下方に突出した状態となっている。
【００４９】
そして、上側掛止片部５８もまた、その上下方向の長さが立板部５４の上下方向の長さよりも短くなっており、より具体的には、立板部５４の上下方向の長さの半分以下の長さとなっている。
【００５０】
これらのことから、本体部５０では、上板部５５と下板部５３が上下方向において離間対向した状態となっており、下板部５３、立板部５４、上板部５５によって囲まれた挿入用空間６０が形成されている。
この挿入用空間６０は、本体部５０の突出方向（左右方向）に沿って延びる空間であり、その長手方向の一端側が開放され、他端側が取付板部５１によって閉塞された状態となっている。すなわち、挿入用空間６０の長手方向における片側端部には、開放面である片側開口部６０ａ（開口部分）が形成された状態となっている。
【００５１】
さらに、挿入用空間６０は、前後方向における後端側（長手方向及び上下方向と直交する方向における一方側）の大部分が開放された状態となっている。すなわち、下板部５３及び上板部５５の短手方向において、立板部５４と離間対向する部分の大部分が開放されて後部開放部６０ｂ（開放面）が形成された状態となっている。この後部開放部６０ｂは、その一部が下側掛止片部５６と上側掛止片部５８によって覆われた状態となっている。
【００５２】
つまり、挿入用空間６０は、その前方が立板部５４に、後方の一部が下側掛止片部５６と上側掛止片部５８に、上方が上板部５５に、下方が下板部５３に、長手方向の片側端側が取付板部５１にそれぞれ閉塞された空間となっている。言い換えると、長手方向の一端側のみが完全に開放された空間であるともいえる。
【００５３】
ここで、下側掛止片部５６の長手方向の長さ（本体部５０の突出方向における長さ）と、上側掛止片部５８の長手方向の長さ（本体部５０の突出方向における長さ）は略同一となっている。そして、下側掛止片部５６の長手方向における中心部分と、下側掛止片部５６の長手方向における中心部分は、本体部５０の突出方向において略同一の位置となっている。
つまり、下側掛止片部５６と上側掛止片部５８は、略同形の部分であり、本体部５０の長手方向における位置が同じ位置であって、上下方向で離れた位置に形成されている。そして、下側掛止片部５６の突出端面と上側掛止片部５８の突出端面とは、上下方向で離間対向した状態となっている。
【００５４】
取付板部５１は、図６で示されるように、側面視した形状が略長方形状となる立板状の本体板部６４と、本体板部６４の後端側を内側（本体部５０側）に折り曲げて形成される折曲片部６５を備えた構造となっている。
【００５５】
本体板部６４のうち、本体部５０と連続している部分と、折曲片部６５と連続している部分の間には、複数の取付用孔６８が形成されている。すなわち、本体部５０（後部開放部６０ｂ）よりも後方側となる部分に取付用孔６８が形成されている。
この複数の取付用孔６８は、上下方向で所定の間隔を空けて並列した状態となっており、いずれの取付用孔６８も本体板部６４を厚さ方向に貫通する貫通孔となっている。
【００５６】
折曲片部６５は、後部開放部６０ｂのうち、取付板部５１側に位置する一部分と離間対向した状態となっている。つまり、立板部５４よりも後方に離れた位置に後部開放部６０ｂが位置しており、さらに後部開放部６０ｂよりさらに後方に離れた位置に折曲片部６５が位置した状態となっている。
【００５７】
板側固定部材４２は、図７で示されるように、長尺状に延びる本体部７５（他方側本体部）と、本体部７５の長手方向における片側端部と一体に連結する取付板部７６とを備えた構造となっている。
【００５８】
本体部７５は、立板部７８と、立板部７８の上端から後方に突出する上板部７９と、立板部７８の下端から後方に突出する下板部８０を備えており、その大部分が断面形状略「コ」字状で延びる長尺状の部分となっている。
【００５９】
立板部７８は、正面視した形状が略台形状となる基端側部７８ａと、正面視した形状が略横長長方形状となる長板部７８ｂとが一体となって形成される部分である。
【００６０】
基端側部７８ａは、立板部７８の長手方向における一端側に位置する部分であり、外側端部における上下方向の長さが、内側端部における上下方向の長さよりも長くなっている。そして、その下端部分は、内側に向かうにつれて高さが高くなるように傾斜した状態となっている。
そして、基端側部７８ａの内側端部側の部分と、長板部７８ｂの長手方向における一端側の部分とが連続した状態となっている。また、基端側部７８ａと長板部７８ｂの境界となる部分では、その下端側部分に上方向に向かって延びる切欠溝７８ｃが設けられている。
【００６１】
長板部７８ｂの長手方向における他端側の部分よりやや内側よりの位置には、固定用孔８３が形成されている。この固定用孔８３は、開口形状が略円形であり、立板部７８（長板部７８ｂ）を厚さ方向に貫通する貫通孔となっている。つまり、取付板部７６から側方に延びる本体部７５のうち、延び方向における先端側よりもやや基端側よりの位置では、立板部７８に固定用孔８３が設けられている。
【００６２】
上板部７９は、立板部７８と略垂直に交わる略長方形板状の部分であり、その長手方向の長さが立板部７８の長手方向の長さと略同一となっている。つまり、立板部７８の上端部分の略全域と、上板部７９の前端部分の略全域とが連続した状態となっている。
【００６３】
下板部８０は、立板部７８の一部である長板部７８ｂと略垂直に交わる略長方形板状の部分であり、その長手方向の長さが長板部７８ｂの長手方向の長さと略同一となっている。つまり、立板部７８の下端部分のうち、基端側部７８ａを除く大半の部分と、下板部８０の前端部分の略全域とが連続した状態となっている。
【００６４】
ここで、下板部８０と上板部７９は上下方向で離間対向した状態となっている。
すなわち、立板部７８のうち、長板部７８ｂの後方側に隣接する部分では、上板部７９、立板部７８、下板部８０によって囲まれた空間が形成されている。そして、基端側部７８ａの後方側に隣接する部分では、上板部７９、立板部７８によって囲まれ、下方が開放された空間が形成されている。
【００６５】
取付板部７６は、断面形状が略Ｌ字状で上下方向に延びる部分であり、側面視した形状が略縦長長方形状となる立板状の本体板部８５と、本体板部８５の前端側を外側側方（本体部７５の突出方向とは逆方向）に折り曲げて形成される正面板部８６を備えた構造となっている。すなわち、取付板部７６は、本体板部８５と正面板部８６が互いに略垂直に交わるように連続することで形成される部分となっている。
【００６６】
本体板部８５の内側側面は、本体部７５の長手方向における片側端部と一体に連続した状態となっている。すなわち、本体板部８５の内側側面から、本体部７５がさらに内側に向かって突出した状態となっており、本体板部８５の内側側面と基端側部７８ａ及び上板部７９が一体に連続した状態となっている。
【００６７】
ここで、本体板部８５には、図７（ｂ）で示されるように、複数の取付用孔９２が形成されており、いずれの取付用孔９２も本体板部８５を厚さ方向に貫通する貫通孔となっている。そして、この複数の取付用孔９２は、上下方向で所定の間隔を空けて並列した状態となっている。
より詳細には、最も上方に位置する取付用孔９２が上板部７９よりも上方に位置しており、上方から２つ目となる取付用孔９２が上板部７９より下方であって下板部８０よりも上方に位置しており、最も下方に位置する取付用孔９２が下板部８０よりも下方に位置している。さらに、最も上方に位置する取付用孔９２よりやや下方側の位置に上板部７９の後端部分が位置した状態となっている。
【００６８】
正面板部８６にもまた、図７（ａ）、図７（ｃ）で示されるように、複数の取付用孔９３が形成されており、上下方向で所定の間隔を空けて並列した状態となっている。この取付用孔９３もまた、それぞれが正面板部８６を厚さ方向に貫通する貫通孔となっている。
【００６９】
本実施形態の流路支持部材４０では、図５等で示されるように、壁側固定部材４１の挿入用空間６０に、片側開口部６０ａより板側固定部材４２の本体部７５を挿入し、壁側固定部材４１の長孔５７の一部と板側固定部材４２の固定用孔８３を重ね合わせ、長孔５７及び固定用孔８３にねじ、ボルト等の締結要素を挿通することで、壁側固定部材４１と板側固定部材４２を一体的に固定している（図４、図８等参照）。
【００７０】
より詳細には、壁側固定部材４１の片側開口部６０ａから、板側固定部材４２の本体部７５における端部部分、すなわち、本体部７５の長手方向の端部のうちで取付板部７６と連続していない側の端部部分を挿入していく。
このとき、壁側固定部材４１が下側掛止片部５６と上側掛止片部５８を備えていることから（図６（ｂ）等参照）、板側固定部材４２の本体部７５が壁側固定部材４１の後方側から脱落してしまうことがない。すなわち、下側掛止片部５６と上側掛止片部５８が、挿入用空間６０に挿入された板側固定部材４２（本体部７５）の壁側固定部材４１の後方側への移動を規制し、板側固定部材４２が壁側固定部材４１から不意に外れてしまうことがない。
【００７１】
ここで、本実施形態の流路支持部材４０では、図８で示されるように、板側固定部材４２の壁側固定部材４１への挿入長さＬａを変更することで、流路支持部材４０の全長Ｌｂを可変可能な構造となっている。
【００７２】
すなわち、板側固定部材４２の本体部７５の壁側固定部材４１（挿入用空間６０）への挿入長さＬａを短くすればするほど、流路支持部材４０の全体の長さ（全長Ｌｂ）を長くすることが可能となっている。
より詳細には、図８（ａ）で示されるように、板側固定部材４２の本体部７５を壁側固定部材４１の本体板部６４に当接するまで挿入し、長孔５７の最も本体板部６４よりの部分と固定用孔８３を重ね合わせた状態でこれらに締結要素を挿通させた場合、流路支持部材４０の全長Ｌｂを最も短くすることが可能となる。対して、図８（ｃ）で示されるように、長孔５７の最も本体板部６４から離れた部分と固定用孔８３を重ね合わせた状態でこれらに締結要素を挿通させた場合、流路支持部材４０の全長Ｌｂを最も長くすることが可能となる。
【００７３】
ここで、板側固定部材４２の本体部７５を挿入用空間６０に挿入すると、板側固定部材４２の本体部７５の一部と、壁側固定部材４１の本体部５０の少なくとも一部とが重なった状態となる。
つまり、板側固定部材４２の上板部７９と壁側固定部材４１の上板部５５が上下方向で重なった状態となり、板側固定部材４２の立板部７８と壁側固定部材４１の立板部５４が前後方向で重なった状態となり、板側固定部材４２の下板部８０と壁側固定部材４１の下板部５３が上下方向で重なった状態となる。
言い換えると、板側固定部材４２の本体部７５の一部分において、その外周を取り巻くように壁側固定部材４１の本体部５０が位置した状態となる。そして、この本体部７５の一部分のうち、周方向で連続する各部は、壁側固定部材４１の本体部５０の一部と長手方向と直交する方向（前後方向又は上下方向）で重なった状態となっている。
【００７４】
このことから、板側固定部材４２の壁側固定部材４１への挿入長さＬａは、板側固定部材４２と壁側固定部材４１の重なり部分の長さでもある。
【００７５】
なお、流路支持部材４０では、長手方向の片側端部近傍に壁側固定部材４１の取付板部５１が位置し、他方側端部近傍に板側固定部材４２の取付板部７６が位置した状態となっている。つまり、流路支持部材４０は直線状に延びた状態となっており、壁側固定部材４１の本体板部６４と、板側固定部材４２の本体板部８５は、流路支持部材４０の長手方向で離間対向した状態となっている。
【００７６】
続いて、遊技機島１ａの構造について、組み立て手順について説明する。
【００７７】
まず、図９で示されるように、床面に鉄製の支柱部材１００や梁部材（図示しない）等の骨格部材を固定する。そして、図１０で示されるように、これら骨格部材に各種板状部材（幕板９、ランプ板１０、膳板１１、腰板１２等）を組み付けていく。
【００７８】
ここで、遊技機島１ａと隣接する壁の表面から、流路支持部材４０の一端を固定するための板部材（幕板９）までの距離Ｌαを予め取得しておく（図１１等参照）。そして、必要に応じて流路支持部材４０の長さを可変させた上で、遊技機島１ａと隣接する壁に対して壁側固定部材４１を固定し、板部材（本実施形態では幕板９）の内側面に対して板側固定部材４２を固定する。
すなわち、流路支持部材４０を遊技場の壁面と、遊技機島１ａの一部を形成する板部材の間に架け渡した状態とする。言い換えると、遊技機島１ａの内部において、短手方向における片側端部側から他方端部側までの間に流路支持部材４０を架設した状態とする。
【００７９】
そして、流路支持部材４０の上方に補給レール２６（図３等参照）を取り付ける。これに伴い、遊技機島１ａの内部に各種機器（島下タンク３０、研磨装置３２、揚送装置３３等）を配し、さらに流路形成部材（オーバーフローレール２７、球抜きホース２８、オーバーフローホース２９、アウトレール３１等）を固定していく。また、妻板８や幅木１３等の遊技機島１ａの外表面を形成する板部材を取り付けていき、遊技機２、データランプ２１等機器を配置して配線作業を適宜実施する。以上の作業を実施することにより、遊技機島１ａの組立が完了する。
【００８０】
上記した実施形態では、遊技機２よりも上方となる位置に流路支持部材４０を固定し、流路支持部材４０で補給レール２６を支持する例を示したが、本発明はこれに限るものではない。例えば、遊技機島１ａの他の場所に流路支持部材４０を固定し、補給レール２６とは異なる流路形成部材（例えば、オーバーフローレール２７やアウトレール３１等）を支持してもよい。
【００８１】
上記した実施形態では、遊技場の壁際の狭いスペースに形成される遊技機島１ａと一体に流路支持部材４０を設けた例を示したが、遊技場の壁部分から離れた位置に形成される遊技機島１ｂで流路形成部材を支持する際に採用してもよい。
しかしながら、壁部分と隣接するように形成される遊技機島１ａで採用し、流路支持部材４０の一端を壁際に固定して使用することが好ましい。
【００８２】
上記した実施形態では、壁側固定部材４１と板側固定部材４２の二部材から形成される流路支持部材４０の例を示したが、本発明はこれに限るものではない。本発明の流路形成部材は、三部材以上の部材から形成されていてもよい。
例えば、図１２で示されるように、１つの連結用部材１４１（第１支持部材）と、２つの固定用部材１４２（第２支持部材）の三部材から形成される流路支持部材１４０であってもよい。
【００８３】
この流路支持部材１４０につき、図１２を参照しつつ詳細に説明する。また、上記した流路支持部材４０と同様の部分については、同じ符号を付し、重複する説明を省略する。
また、以下の説明では、説明の都合上、図１２（ｂ）の手前側を前方、奥側を後方として説明する。
【００８４】
連結用部材１４１は、下板部１５０と、下板部１５０の前端部分を上方に折り返して形成される立板部１５１と、立板部１５１の上端を後方に折り返して形成される上板部１５２と、上板部１５２の後端を下方に折り返して形成される上側掛止片部１５３と、下板部１５０の後端部分を上方に折り返して形成される下側掛止片部１５４を備えている。
すなわち、この連結用部材１４１は、断面形状が略Ｃ字状で延びる部材となっている。
【００８５】
上記した下側掛止片部５６、上側掛止片部５８が下板部５３と上板部５５の後端部分の一部から突出しているのに対し、この下側掛止片部１５４、上側掛止片部１５３は、下板部１５０と上板部１５２の後端部分の略全域から突出している。すなわち、下板部１５０及び上板部１５２の長手方向の長さ（連結用部材１４１の長手方向の長さ）と、同方向における下側掛止片部１５４、上側掛止片部１５３の長さは略同一となっている。
【００８６】
また、立板部１５１には、その高さ方向の中心近傍に長孔１５７が設けられている。この長孔５７は、立板部１５１を厚さ方向（前後方向）に貫通し、連結用部材１４１の長手方向に沿って直線状に延びる孔である。
【００８７】
２つの固定用部材１４２の一方（固定用部材１４２ａ）は、取付板部５１を備えており、遊技場の壁面にその一端を固定可能となっている。また、取付板部５１から内側に突出する本体部７５を備えている。
そして、２つの固定用部材１４２の他方（固定用部材１４２ｂ）は、取付板部７６を備えており、遊技機島１を形成する板部材の内側面にその一端を固定可能となっている。また、取付板部５１から内側に突出する本体部７５を備えている。
【００８８】
そして、図１２で示されるように、連結用部材１４１のうちで、下板部１５０、立板部１５１、上板部１５２、上側掛止片部１５３、下側掛止片部１５４に囲まれて形成される挿入用空間１６０に対し、２つの固定用部材１４２にそれぞれ形成された本体部７５を挿入する。そして、それぞれの挿入長さＬａをそれぞれ調節することで、流路支持部材１４０の全体の長さ（全長Ｌｂ）を可変させることが可能となっている。
【００８９】
すなわち、上述の流路支持部材４０のように、1つの第１支持部材に１つの第２支持部材を重ねた状態で連結する構成に限らず、この流路支持部材１４０のように、1つの第１支持部材に複数の第２支持部材を重ねた状態で連結する構成であってもよい。言い換えると、複数の挿入長さＬａを可変させて全体の長さ（全長Ｌｂ）を可変させる構造であってもよい。
【００９０】
また、上述の流路支持部材４０では、第１支持部材を遊技場の壁面に固定させたが、この流路支持部材１４０のように、第１支持部材は遊技場の壁面や遊技機島１の板部材に必ずしも固定させなくてよい。
【００９１】
また、遊技場の壁面や遊技機島１を形成する板部材に固定するための部分（取付板部５１、取付板部７６）と、第１支持部材と少なくとも一部を重ねるための部分（本体部７５）を一体に形成した第２支持部材（固定用部材１４２）について説明したが、これらは別体であってもよい。すなわち、遊技場の壁面や遊技機島１を形成する板部材に固定するための部分と、第１支持部材と少なくとも一部を重ねるための部分を直接又は連結部材を介して連結させる構造であってもよい。流路支持部材を形成する複数の部材のうち、少なくとも２つの部材が重なった状態で連結し、その重なり部分の長さを可変可能であればよい。
【符号の説明】
【００９２】
１    遊技機島
２    遊技機
２６    補給レール（流路形成部材）
４０，１４０    流路支持部材
４１    壁側固定部材（第１支持部材）
４２    板側固定部材（第２支持部材）
５０    本体部（片側本体部）
５３    下板部
５４    立板部
５５    上板部
５６    下側掛止片部（規制片）
５８    上側掛止片部（規制片）
６０    挿入用空間
６０ａ    長手片側開口部（開口部分）
６０ｂ    後部開放部（開放面）
７５    本体部（他方側本体部）
１４１    連結用部材（第１支持部材）
１４２    固定用部材（第２支持部材）
【図１】
2017006237.tif 000003
【図２】
2017006237.tif 000004
【図３】
2017006237.tif 000005
【図４】
2017006237.tif 000006
【図５】
2017006237.tif 000007
【図６】
2017006237.tif 000008
【図７】
2017006237.tif 000009
【図８】
2017006237.tif 000010
【図９】
2017006237.tif 000011
【図１０】
2017006237.tif 000012
【図１１】
2017006237.tif 000013
【図１２】
2017006237.tif 000014